(57)【要約】【課題】素材コピー後のコピー先のメモリ内容の良否を自動的に判断し、これにより再生障害を抑制し得る放送素材処理装置を提供する。【解決手段】映像記録再生装置１２において、半導体メモリ１２１に記録された映像素材データを自動的に再生して元の映像素材信号に復号し、この映像素材信号を利用して半導体メモリ１２１の記録内容の良否を検出するようにしている。そして、半導体メモリ１２１のメモリブロックに異常が検出された場合に、現用系の映像記録再生装置１１に対しリトライ要求を送出し、再度映像記録再生装置１１から再生される映像素材データを前回とは異なる半導体メモリ１２１のメモリブロックに記録するようにしている。【選択図】      図１
2008198005.tif 000002
【特許請求の範囲】
【請求項１】
第１の記憶媒体に記憶された放送素材の符号化データを再生する現用系としての第１の情報処理部と、
この第１の情報処理部に接続され、当該第１の情報処理部から再生される符号化データをブロック構造の第２の記憶媒体に記録し、当該第２の記憶媒体から符号化データを再生し元の放送素材信号に復号して送出する予備系としての第２の情報処理部と、
前記第２の記憶媒体に対する符号化データの記録時に、前記第２の記憶媒体のブロックの異常を検出する異常検出手段とを具備したことを特徴とする放送素材処理装置。
【請求項２】
さらに、前記異常検出手段による検出結果に基づいて、前記第１の情報処理部に対し再度前記第１の記憶媒体に記憶された符号化データを再生させるリトライ要求を送出し、このリトライ要求に対し前記第１の情報処理部から再生される符号化データを前記リトライ要求送出前に前記符号化データを記録したブロックとは異なる前記第２の記憶媒体のブロックに記録する異常対応手段を備えたことを特徴とする請求項１記載の放送素材処理装置。
【請求項３】
前記異常対応手段は、前記リトライ要求の送出回数が基準値を超えた場合に、前記リトライ要求の送出回数が基準値を超えた旨をアラームとしてユーザに報知することを特徴とする請求項２記載の放送素材処理装置。
【請求項４】
前記異常検出手段は、前記第２の記憶媒体に記録した符号化データを自動的に再生させ、復号した放送素材信号に基づいて、前記第２の記憶媒体のブロックの異常を検出することを特徴とする請求項１記載の放送素材処理装置。
【発明の詳細な説明】
【技術分野】
【０００１】
この発明は、例えば二重化設備の現用系に設けられるビデオサーバで記録する放送素材データを予備系に設けられるビデオサーバにコピーする放送素材処理装置に関する。
【背景技術】
【０００２】
周知のように、放送局内にあっては、例えばテレビジョン放送やラジオ放送の番組、ＣＭ（コマーシャル）、文字やデータによる番組等の放送素材データを半導体メモリに記憶し、任意のタイミングで半導体メモリに記憶された放送素材データを再生するビデオサーバが使用されている。
【０００３】
また、上記放送局では、機器の故障対策及び保守のために、現用・予備の二重化構成とすることが一般的となっており、このため現用系及び予備系それぞれにビデオサーバが用いられることになる（例えば、特許文献１）。
【特許文献１】特開平９−２９４２４３号公報。
【発明の開示】
【発明が解決しようとする課題】
【０００４】
ところで、上記二重化構成では、現用系において、放送素材データをビデオサーバに記録しておき、しかる後に、予備系のビデオサーバに現用系の放送素材データを転送してコピーするマイグレーション収録方式が一例として考えられる。このマイグレーション収録方式にあっては、予備系のビデオサーバにコピーされる放送素材データの品質を確認する必要が生じる。
【０００５】
このような場合、コピー後にオペレータによる手動再生、エラー時に再コピーし手動再生を行うことにより、コピーされる放送素材データの品質確認を行なうようにしている。しかしながら、再コピーした場合でも、ビデオサーバの半導体メモリの使用ブロックが変わらないため、再度エラーになる確率が高く、最終的に半導体メモリの該当ブロックを手動で不使用に設定してから再コピーを行わなければならず、これによりオペレータに対し膨大な作業が強いられることになる。
【０００６】
そこで、この発明の目的は、素材コピー後のコピー先のメモリ内容の良否を自動的に判断し、これにより再生障害を抑制し得る放送素材処理装置を提供することにある。
【課題を解決するための手段】
【０００７】
上記目的を達成するために、この発明に係る放送素材処理装置は、第１の記憶媒体に記憶された放送素材の符号化データを再生する現用系としての第１の情報処理部と、この第１の情報処理部に接続され、当該第１の情報処理部から再生される符号化データをブロック構造の第２の記憶媒体に記録し、当該第２の記憶媒体から符号化データを再生し元の放送素材信号に復号して送出する予備系としての第２の情報処理部と、第２の記憶媒体に対する符号化データの記録時に、第２の記憶媒体のブロックの異常を検出する異常検出手段とを備えるようにしたものである。
【０００８】
なお、異常検出手段は、第２の記憶媒体に記録した符号化データを自動的に再生させ、復号した放送素材信号に基づいて、第２の記憶媒体のブロックの異常を検出することを特徴とする。
【０００９】
この構成によれば、第２の記憶媒体に記録された符号化データが自動的に再生されて元の放送素材信号に復号され、この放送素材信号を利用して第２の記憶媒体の記録内容の良否が検出される。すなわち、予備系の第２の情報処理部にコピーされる放送素材の符号化データの品質確認が、人手を要することなく自動的に行なわれることになる。
【００１０】
従って、素材コピー後のコピー先のメモリ内容の良否を自動的に判断でき、これにより再生障害を抑制できる。一方オペレータ（ユーザ）にとっては予備系の第２の情報処理部にコピーされる放送素材の符号化データの品質確認に必要な労力を大幅に低減でき、さらにチェックミスの発生が防止されて正確で信頼性の高い放送素材の品質確認を行うことができる。
【００１１】
さらに、異常検出手段による検出結果に基づいて、第１の情報処理部に対し再度第１の記憶媒体に記憶された符号化データを再生させるリトライ要求を送出し、このリトライ要求に対し第１の情報処理部から再生される符号化データをリトライ要求送出前に符号化データを記録したブロックとは異なる第２の記憶媒体のブロックに記録する異常対応手段を備えたことを特徴とする。
【００１２】
この構成によれば、第２の記憶媒体のブロックに異常が検出されると、第１の情報処理部に対しリトライ要求が送出され、再度第１の情報処理部から再生される符号化データが前回とは異なる第２の記憶媒体のブロックに記録されることになる。従って、リトライ成功の確率が高くなり、これにより第２の記憶媒体の異常による再生障害の発生を防ぐことができる。
【００１３】
異常対応手段は、リトライ要求の送出回数が基準値を超えた場合に、リトライ要求の送出回数が基準値を超えた旨をアラームとしてユーザに報知することを特徴とする。
【００１４】
この構成によれば、第２の記憶媒体の交換が必要なった場合に、この異常状態をアラームとしてオペレータに報知することにより、オペレータは第２の記憶媒体の異常発生を即時知ることができ、これにより復旧操作などの対応処置を迅速に講じることができる。
【発明の効果】
【００１５】
以上詳述したようにこの発明によれば、素材コピー後のコピー先のメモリ内容の良否を自動的に判断し、これにより再生障害を抑制し得る放送素材処理装置を提供することができる。
【発明を実施するための最良の形態】
【００１６】
以下、この発明の実施形態について図面を参照して詳細に説明する。  
図１は、この発明に係わる放送素材処理装置としての映像素材バンクシステムの一実施形態を示すブロック図である。
【００１７】
図１において、符号１１は現用系の映像記録再生装置、１２は予備系の映像記録再生装置である。これら映像記録再生装置１１，１２はそれぞれ半導体メモリ１１１，１２１を備えている。なお、ここでは、現用系において、放送素材としての映像素材データを映像記録再生装置１１の半導体メモリ１１１に記録しておき、しかる後に、操作端末１３からの映像素材コピー要求に従って、半導体メモリ１１１に記録された映像素材データを予備系の映像記録再生装置１２に転送してコピーするマイグレーション収録方式を用いるものとする。
【００１８】
また、映像記録再生装置１２には、アラーム装置１４が接続されている。
【００１９】
図２は、映像記録再生装置１２の内部構成を示すブロック図である。なお、ここでは説明を簡単にするため、映像記録再生装置１２の入力チャンネルを４チャンネルとし、出力チャンネルを７チャンネルとする。
【００２０】
半導体メモリ１２１には、入力部１２２、制御部１２３及び出力部１２４が接続される。入力部１２２は、４チャンネルの映像素材データを取り込み、制御部１２３による制御の下、メモリ１２１の然るべき領域に記録する。
【００２１】
制御部１２３は、メモリ１２１に記録される４チャンネルの映像素材データを管理し、再生指示入力に応じて、出力部１２４に対して半導体メモリ１２１の再生開始アドレス、再生バイト数及び送出ビットレート（帯域）を指定する。
【００２２】
出力部１２４は、制御部１２３により指定されたアドレスから指定されたバイト数だけ、半導体メモリ１２１に記録された映像素材データを読み出し、元の映像素材信号に復号して対応する出力チャンネルへ出力する。
【００２３】
ところで、この実施形態では、制御部１２３に、異常検出部１２３１と、リトライ制御部１２３２とを備えている。
【００２４】
異常検出部１２３１は、半導体メモリ１２１に記録した映像素材データを自動的に再生させ、出力部１２４にて復号した映像素材信号に基づいて、半導体メモリ１２１に正しく書き込まれたか否かをチェックする。
【００２５】
リトライ制御部１２３２は、異常検出部１２３１において、半導体メモリ１２１に映像素材データが正しく書き込まれていないと判定された場合に、空きポート（空き出力チャンネル）を利用して映像記録再生装置１１に対し半導体メモリ１１１に記憶された映像素材データを再生させるリトライ要求を送出し、このリトライ要求に対し映像記録再生装置１１から再生される映像素材データをリトライ要求送出前に映像素材データを記録したメモリブロック（例えば１ブロック８ＭＢｙｔｅ）とは異なる半導体メモリ１２１のメモリブロックに記録する。
【００２６】
次に、上記構成における処理動作について説明する。  
図３は、上記映像記録再生装置１２の制御処理手順を示すフローチャートである。  
まず、映像素材データのコピーを行なう場合には、操作端末１３からコピー指示を、映像記録再生装置１１，１２に送出する。そして、操作端末１３からコピー指示があった場合には、映像記録再生装置１１は、映像記録再生装置１２に対しコピーを開始する。
【００２７】
映像記録再生装置１２は、コピー完了後、ステップＳＴ３ａからステップＳＴ３ｂに移行してここで半導体メモリ１２１に記録された映像素材データを自動的に再生させる。そして、出力部１２４により復号された映像素材信号が正しいか否かを監視することにより映像素材データが半導体メモリ１２１に正しく書き込まれたか否かを判定する（ステップＳＴ３ｃ）。なお、現用系から送られてくる映像素材データには、リードソロモン等によりエラー訂正がかけられているが、訂正できないエラーが発生する場合がある。この場合、映像記録再生装置１２の制御部１２３は、現用系の映像記録再生装置１１に対し空きポートを介してリトライ要求を送信する（ステップＳＴ３ｄ）。
【００２８】
これに対し、映像記録再生装置１１は、リトライの通知により、映像記録再生装置１２に対し再コピーをスタートする。
【００２９】
映像記録再生装置１２は、映像記録再生装置１１から送られる映像素材データを受信し（ステップＳＴ３ｅ）、この受信映像素材データを前回とは違うメモリブロックを使用して書き込む（ステップＳＴ３ｆ）。これにより、コピー先の半導体メモリ１２１特有のブロック故障を回避し、リトライ成功の確率が上がる。
【００３０】
以後、映像記録再生装置１２は、自動再生を行いエラーが無ければ処理を終了し、エラー時はステップＳＴ３ｄないしステップＳＴ３ｆの処理を繰り返し実行する。
【００３１】
なお、映像記録再生装置１２は、リトライ回数、例えば３回オーバーした場合にはアラーム装置１４に対してアラームを発生することが可能である。
【００３２】
以上のように上記実施形態では、映像記録再生装置１２において、半導体メモリ１２１に記録された映像素材データを自動的に再生して出力部１２４により元の映像素材信号に復号し、この映像素材信号を利用して半導体メモリ１２１の記録内容の良否を検出するようにしている。
【００３３】
従って、予備系の映像記録再生装置１２にコピーされる映像素材の品質確認が、人手を要することなく自動的に行なわれることになり、これにより再生障害を抑制できる。一方オペレータ（ユーザ）にとっては予備系の映像記録再生装置１２にコピーされる映像素材の品質確認に必要な労力を大幅に低減でき、さらにチェックミスの発生が防止されて正確で信頼性の高い映像素材の品質確認を行うことができる。
【００３４】
また、上記実施形態では、映像記録再生装置１２において、半導体メモリ１２１のメモリブロックに異常が検出された場合に、現用系の映像記録再生装置１１に対しリトライ要求を送出し、再度映像記録再生装置１１から再生される映像素材データを前回とは異なる半導体メモリ１２１のメモリブロックに記録するようにしている。従って、リトライ成功の確率が高くなり、これにより半導体メモリ１２１の異常による再生障害の発生を防ぐことができる。
【００３５】
さらに、上記実施形態では、半導体メモリ１２１の交換が必要なった場合に、アラーム装置１４によりこの異常状態をアラームとしてオペレータに報知することにより、オペレータは半導体メモリ１２１の異常発生を即時知ることができ、これにより復旧操作などの対応処置を迅速に講じることができる。
【００３６】
なお、上記実施形態において、自動再生するポートがない場合にはプレビュー用のポートを使用し、プレビューの優先度を上げ、プレビューの空き時間に自動再生させることも可能である。この時、自動再生中にプレビューの操作があった場合には、自動再生を中断し、プレビューを実行する。自動再生はプレビュー終了後に行う。
【００３７】
また、上記実施形態では、外付けのハードディスクタイプの大容量映像素材サーバを接続し、放送日１日前等に自動的に素材をコピーする場合にも上記機能を使用することができる。
【００３８】
その他、システム構成、映像素材以外の取り扱う素材の種類、半導体メモリの異常発生時の制御手順及びその内容等についても、この発明の要旨を逸脱しない範囲で種々変形して実施できる。
【図面の簡単な説明】
【００３９】
【図１】この発明に係わる放送素材処理装置としての映像素材バンクシステムの一実施形態を示すブロック図。
【図２】図１に示した予備系の映像記録再生装置の内部構成を示すブロック図。
【図３】同実施形態における予備系の映像記録再生装置の制御処理手順を示すフローチャート。
【符号の説明】
【００４０】
１１，１２…映像記録再生装置、１３…操作端末、１４…アラーム装置、１１１，１２１…半導体メモリ、１２２…入力部、１２３…制御部、１２４…出力部、１２３１…異常検出部、１２３２…リトライ制御部。
【図１】
2008198005.tif 000003
【図２】
2008198005.tif 000004
【図３】
2008198005.tif 000005